(57)【要約】【課題】浴槽の外周部の水切りを行いつつ、浴槽内に不要な水が入り込むことを抑制する。【解決手段】浴槽１は、浴槽１内に向かって水を流す第１の排水勾配Ｒ１と、浴槽１外に向かって水を流す第２の排水勾配Ｒ２を有するフランジ部４１を備えている。第２の排水勾配Ｒ２は、浴槽１外の洗い場３１側に向かって水を流すものである。第２の排水勾配Ｒ２は、浴槽１の洗い場３１に面するコーナー部５０、５３に設けられている。【選択図】図７
2020031975.tif 000002
【特許請求の範囲】
【請求項１】
浴槽内に向かって水を流す第１の排水勾配と、浴槽外に向かって水を流す第２の排水勾配を有する外周部を備えた、浴槽。
【請求項２】
前記外周部は、浴槽のフランジ部にある、請求項１に記載の浴槽。
【請求項３】
浴槽は、洗い場に隣接して配置されるものであり、
前記第２の排水勾配は、浴槽外の洗い場側に向かって水を流すものである、請求項１又は２に記載の浴槽。
【請求項４】
前記第２の排水勾配は、浴槽の洗い場に面するコーナー部に設けられている、請求項３に記載の浴槽。
【請求項５】
前記外周部は、前記第１の排水勾配と前記第２の排水勾配が接続された境界線を有する、請求項１〜４のいずれか１項に記載の浴槽。
【請求項６】
浴槽は、浴槽を設置した状態の平面視で略長方形状を有し、
前記境界線は、浴槽の長手方向に平行に形成されている、請求項５に記載の浴槽。
【請求項７】
前記外周部は、浴槽内の排水栓を開閉するための排水用ボタンをさらに有し、
前記排水用ボタンは、前記第２の排水勾配に設けられている、請求項１〜６のいずれか１項に記載の浴槽。
【発明の詳細な説明】
【技術分野】
【０００１】
本発明は、浴槽に関する。
【背景技術】
【０００２】
浴槽には、水切りのため浴槽のフランジ部に浴槽内に向けた勾配を有するものがある。この種の浴槽は、例えばフランジ部の全周にわたり上記勾配を備えている（特許文献１参照）。
【先行技術文献】
【特許文献】
【０００３】
【特許文献１】特開２００４−１９４８９０号公報
【発明の概要】
【発明が解決しようとする課題】
【０００４】
しかしながら、上述のような浴槽では、フランジ部に付着した、洗剤や洗髪剤が混入した水や汚れた水などの不要な水も浴槽内に入り込み、好ましくない。
【０００５】
本出願はかかる点に鑑みてなされたものであり、浴槽のフランジ部などの外周部の水切りを行いつつ、浴槽内に不要な水が入り込むことを抑制することをその目的の一つとする。
【課題を解決するための手段】
【０００６】
本発明の一態様に係る浴槽は、浴槽内に向かって水を流す第１の排水勾配と、浴槽外に向かって水を流す第２の排水勾配を有する外周部を備えている。
【０００７】
本態様によれば、浴槽の外周部の水を浴槽内と浴槽外に排出できるので、浴槽の外周部の水切りを行いつつ、浴槽内に不要な水が入り込むことを抑制することができる。
【０００８】
浴槽の外周部は、浴槽のフランジ部にあってもよい。
【０００９】
浴槽は、洗い場に隣接して配置されるものであり、第２の排水勾配は、浴槽外の洗い場側に向かって水を流すものであってもよい。
【００１０】
第２の排水勾配は、浴槽の洗い場に面するコーナー部に設けられていてもよい。
【００１１】
浴槽の外周部は、第１の排水勾配と第２の排水勾配が接続された境界線を有していてもよい。
【００１２】
浴槽は、浴槽を設置した状態の平面視で略長方形状を有し、前記境界線は浴槽の長手方向に平行に形成されていてもよい。
【００１３】
浴槽の外周部は、浴槽内の排水栓を開閉するための排水用ボタンをさらに有し、排水用ボタンは、第２の排水勾配に設けられていてもよい。
【発明の効果】
【００１４】
本発明によれば、浴槽の外周部の水切りを行いつつ、浴槽内に不要な水が入り込むことを抑制することができる。
【図面の簡単な説明】
【００１５】
【図１】浴室の構成の一例を示す説明図である。
【図２】浴槽の平面図である。
【図３】図２の浴槽のＥ−Ｅ断面を示す縦断面図である。
【図４】浴槽の第１の排水勾配と第２の排水勾配が形成された領域を示す説明図である。
【図５】第４のコーナー部の拡大斜視図である。
【図６】図２の浴槽のＦ−Ｆ断面を示す縦断面図である。
【図７】浴槽のフランジ部の表面の水の流れを示す説明図である。
【発明を実施するための形態】
【００１６】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１７】
図１は、本実施の形態に係る浴槽１を備えた浴室（浴室ユニット）１０の一例を示す説明図である。図２は、浴槽１の平面図である。
【００１８】
浴槽１は、上面側が開口した略直方体の全体形状を有する。浴槽１は、例えば浴槽１を浴室１０に通常使用のために設置した状態の平面視で（上から見て）略長方形状を有している。浴槽１の３つの側面２０、２１、２２は、浴室１０の壁３０に面し、残りの一つの側面２３が洗い場３１に面している。この浴槽１の側面２３は、例えば浴槽１の長辺側の面である。なお、洗い場３１には、例えば図示しないシャワーや排水口が設けられている。本実施の形態における浴室１０は、浴槽１と洗い場３１を有している。
【００１９】
浴槽１は、例えば湯水貯留部４０と、その周りに位置する外周部としてのフランジ部４１を備えている。
【００２０】
例えば湯水貯留部４０は、浴槽１を設置した状態の平面視でオーバル状の外形ラインＡを有する。外形ラインＡは、環状に形成され、水が溜まる限界水位（貯留上限）ラインになっている。湯水貯留部４０は、図２に示す浴槽１の長手方向Ｘの中心を通る幅方向Ｙの中心線Ｌ１に対し左右対称であり、浴槽１の幅方向Ｙの中心を通る長手方向Ｘの中心線Ｌ２に対して左右非対称である。
【００２１】
外形ラインＡは、例えば長辺外形ラインＡ１、Ａ２及び短辺外形ラインＡ３、Ａ４からなる。例えば長辺外形ラインＡ１、Ａ２及び短辺外形ラインＡ３、Ａ４は、浴槽１を設置した状態の平面視で外側の凸に湾曲している。洗い場３１に面する長辺外形ラインＡ１は、それに対向する長辺外形ラインＡ２よりも外側に大きく湾曲している。短辺外形ラインＡ３、Ａ４は、同じ形状を有している。なお、外形ラインＡは、外周部の例えばフランジ部４１に滑らかに接続されており、外見上見えなくてもよい。
【００２２】
湯水貯留部４０は、外形ラインＡに向けて次第に内径が広がっている。例えば図３に示すように湯水貯留部４０の外形ラインＡ付近には、縦断面が内側に凸に湾曲する湾曲部Ｂが形成されている。例えば図１及び図２に示す長辺外形ラインＡ１及び短辺外形ラインＡ３、Ａ４の湾曲部Ｂ１、Ｂ３、Ｂ４の曲率半径は、長辺外形ラインＡ２の湾曲部Ｂ２の曲率半径よりも大きく、湾曲部Ｂ１、Ｂ３、Ｂ４は、湾曲部Ｂ２よりも緩やかに拡径している。
【００２３】
フランジ部４１は、図２に示すように浴槽１を設置した状態の平面視で例えば湯水貯留部４０の長辺外形ラインＡ１の中央付近以外の外形ラインＡの周囲を囲んでいる。フランジ部４１は、例えば４つのコーナー部５０、５１、５２、５３と、３つのコーナー部接続部（直線部）５４、５５、５６を有している。第１のコーナー部５０と第４のコーナー部５３は、洗い場３１側に位置し、第２のコーナー部５１と第３のコーナー部５２は、洗い場３１の反対側に位置している。第１の直線部５４は、第１のコーナー部５０と第２のコーナー部５１を接続し、第２の直線部５５は、第２のコーナー部５１と第３のコーナー部５２を接続し、第３の直線部５６は、第３のコーナー部５２と第４のコーナー部５３を接続している。これらの隣り合うコーナー部５０〜５３及び直線部５４〜５６は、互いに滑らかに接続されている。なお、長辺外形ラインＡ１の中央付近の外側には、わずかにフランジ部があってもよい。また本実施の形態において、コーナー部５０〜５３は、浴槽１の各コーナー部の２つの側面２０〜２３から、長手方向Ｘ及び幅方向Ｙの所定距離までの領域をいう。この所定距離は、浴槽１の長辺の長さＤ１或いは短辺の長さＤ２の１／２０以上１／２未満とする。
【００２４】
例えば第１のコーナー部５０及び第４のコーナー部５３は長辺外形ラインＡ１の外側に位置し、第１の直線部５４は短辺外形ラインＡ３の外側に位置し、第２のコーナー部５１、第２の直線部５５及び第３のコーナー部５２は長辺外形ラインＡ２の外側に位置し、第３の直線部５６は短辺外形ラインＡ４の外側に位置している。
【００２５】
図４に示すようにフランジ部４１の表面は、湯水貯留部４０内に向かって水を流す第１の排水勾配Ｒ１（図４に示すドット領域）と、浴槽１外の洗い場３１に向かって水を流す第２の排水勾配Ｒ２（図４に示す斜め十字領域）が形成されている。
【００２６】
例えば第１の排水勾配Ｒ１は、第１の直線部５４、第２のコーナー部５１、第２の直線部５５、第３のコーナー部５２及び第３の直線部５６にわたる表面に形成されている。第２の排水勾配Ｒ２は、第１のコーナー部５０と第４のコーナー部５３のそれぞれの表面に形成されている。よって、フランジ部４１の表面には、第１の排水勾配Ｒ１又は第２の排水勾配Ｒ２のいずれかが形成されている。
【００２７】
図４及び図５に示すように第１の排水勾配Ｒ１と第２の排水勾配Ｒ２は、互いに隣接し、境界線Ｃが形成されている。境界線Ｃは、例えば浴槽１の長手方向Ｘに平行に形成されている。
【００２８】
図３及び図５に示すように第１の排水勾配Ｒ１は、湯水貯留部４０に向かって次第に下がり、湯水貯留部４０の湾曲部Ｂの外形ラインＡに滑らかに接続されている。
【００２９】
図５及び図６に示すように第２の排水勾配Ｒ２は、境界線Ｃから洗い場３１側に向かって次第に下がるように傾斜している。図６に示すように第２の排水勾配Ｒ２における浴槽１の洗い場３１側の側面２３に近い部分は、その勾配方向に沿った縦断面形状が洗い場３１側に凸に湾曲するように形成されている。
【００３０】
図５及び図６に示すように第４のコーナー部５３の第２の排水勾配Ｒ２が洗い場３１側に向かって下がっているため、第４のコーナー部５３とその長辺外形ラインＡ１との間には、高低差があり、第４のコーナー部５３の長辺外形ラインＡ１に近接した部分には、立ち上がり部７０が形成されている。立ち上がり部７０は長辺外形ラインＡ１に滑らかに接続されている。第１のコーナー部５０も、第４のコーナー部５３と同様であり、第１のコーナー部５０の長辺外形ラインＡ１に近接した部分には、立ち上がり部７０が形成されている。例えば第２の排水勾配Ｒ２は、浴槽１の側面２３から、幅方向Ｙの所定距離の位置
まで形成されている。この所定距離は、例えば短辺の長さＤ２の１／２０以上１／２未満である。
【００３１】
図２に示すように第１のコーナー部５０の第２の排水勾配Ｒ２上には、浴槽１内の排水栓６０を開閉するための排水用ボタン６１が設けられている。排水用ボタン６１は、第１の排水勾配Ｒ１と第２の排水勾配Ｒ２の境界線Ｃ上にはなく、例えば境界線Ｃよりも側面２３側の第１のコーナー部５０上にある。
【００３２】
本実施の形態によれば、浴槽１が、浴槽１内に向かって水を流す第１の排水勾配Ｒ１と、浴槽外の洗い場３１に水を流す第２の排水勾配Ｒ２を有するフランジ部４１を備えている。このため、図７に示すようにフランジ部４１上の不要な水を洗い場３１に流し、他の水を浴槽１内に流すことができる。この結果、浴槽１のフランジ部４１の水切りを行いつつ、浴槽１内に不要な水が入り込むことを抑制することができる。
【００３３】
第２の排水勾配Ｒ２は、浴槽１の洗い場３１に面する第１のコーナー部５０及び第４のコーナー部５３に設けられているので、洗い場３１側から入った洗剤や洗髪剤が混入した水や汚れた水を浴槽１外に好適に排出することができる。
【００３４】
フランジ部４１は、第１の排水勾配Ｒ１と第２の排水勾配Ｒ２が互いに接続された境界線Ｃを有するので、勾配の向きが異なる第１の排水勾配Ｒ１と第２の排水勾配Ｒ２の間においても、水が滞留することなく適切に排出される。なお、境界線Ｃは、例えば２０ｍｍ以下程度のある程度幅があるものであってもよい。
【００３５】
境界線Ｃは、浴槽１の長手方向Ｘに平行に形成されているので、浴槽１の長手方向Ｘの境界線Ｃを境に第１の排水勾配Ｒ１と第２の排水勾配Ｒ２が分岐し、例えば浴槽１の長辺側の洗い場３１から入る不要な水を洗い場３１に適切に排出できる。また、境界線Ｃが浴槽１の長手方向Ｘに平行に形成されていることは、浴槽１を成型するうえで有利である。
【００３６】
フランジ部４１は、浴槽１内の排水栓６０を開閉するための排水用ボタン６１を有し、排水用ボタン６１は、第２の排水勾配Ｒ２に設けられている。排水用ボタン６１の周囲には段差ができ、そこに洗剤等が混ざった水が滞留しやすくなるが、排水用ボタン６１が、第２の排水勾配Ｒ２に設けられていることにより、排水用ボタン６１の周辺に滞留した水を洗い場３１に適切に流すことができる。また、例えば浴槽１の上面を蓋で閉鎖する際に排水用ボタン６１が上に飛び出ることが抑制され、浴槽１と蓋の間にできる隙間を低減できる。なお、排水用ボタン６１が境界線Ｃ上にないことにより、傾斜の向きが異なる２つの面を考慮して排水用ボタン６１を取り付ける必要がなく、排水用ボタン６１の止水コントロールを設定しやくなり、排水用ボタン６１を設置しやすくなる。
【００３７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３８】
例えば浴槽１は、上記実施の形態のものに限られず、他の構造や形状を有する浴槽にも本発明は適用できる。例えば浴槽の形状は、浴槽１を設置した状態の平面視で円形、楕円形、多角形、台形等の他の形状であってもよい。例えば第１の排水勾配Ｒ１と第２の排水勾配Ｒ２の境界線Ｃはあってもなくてもよい。境界線Ｃがない場合には、例えば第１の排水勾配Ｒ１と第２の排水勾配Ｒ２の間に平坦部分等があってもよい。
【００３９】
上記実施の形態では、第１の排水勾配Ｒ１と第２の排水勾配Ｒ２がフランジ部４１の表
面の全域に形成されていたが、フランジ部４１には、排水勾配がない部分があってもよい。第２の排水勾配Ｒ２が洗い場３１側のコーナー部５０、５３に設けられていたが、コーナー部５０、５３のいずれか一方に設けられていてもよいし、浴槽１の洗い場３１側の他の部分、他の領域に設けられていてもよい。また排水用ボタン６１はあってもなくてもよい。さらに、浴室１０の排水構造によっては、第２の排水勾配Ｒ２は、洗い場３１側に水を流すものではなく、浴槽外の他の場所に水を流すものであってもよい。この場合、第２の排水勾配Ｒ２の設置位置は適宜変更してもよい。第１の排水勾配Ｒ１及び第２の排水勾配Ｒ２は、浴槽の外周部に形成されていれば、例えばフランジ部（つば部）でなくてもよい。
【産業上の利用可能性】
【００４０】
本発明は、浴槽の外周部の水切りを行いつつ、浴槽内に不要な水が入り込むことを抑制する際に有用である。
【符号の説明】
【００４１】
１  浴槽
１０  浴室
３１  洗い場
４０  湯水貯留部
４１  フランジ部
５０〜５３  コーナー部
Ｒ１  第１の排水勾配
Ｒ２  第２の排水勾配
Ａ  外形ライン
Ｃ  境界線
【図１】
2020031975.tif 000003
【図２】
2020031975.tif 000004
【図３】
2020031975.tif 000005
【図４】
2020031975.tif 000006
【図５】
2020031975.tif 000007
【図６】
2020031975.tif 000008
【図７】
2020031975.tif 000009